(57)【特許請求の範囲】
【請求項１】
少なくとも一対の側縁と一対の端縁を有し衛生材料および消毒剤を収容する容器本体を具備した衛生材料容器であって、
前記容器本体は、一端縁側に位置し前記消毒剤を収容する液体収容部、および他端縁側に位置する固体部に分離部を介してそれぞれ分離され、
前記分離部は、前記液体収容部および前記固体部を前記消毒剤が通過可能に連通させるように剥離容易な連通部を備え、
前記固体部は、この固体部の一側縁側に位置し前記消毒剤が前記連通部を介して移動可能な液体流出部、および前記固体部の他側縁側に位置し前記衛生材料を収容する材料収容部に仕切部を介してそれぞれ分離され、
前記仕切部は、前記材料収容部および前記液体流出部を前記消毒剤が通過可能に連通させた液体移動部を備えた
ことを特徴とした衛生材料容器。
【請求項２】
仕切部は、容器本体の側縁に略沿って形成されこの仕切部の一端縁側が分離部と接合され、
液体移動部は、前記仕切部における前記分離部と接合された端縁側と反対側の端縁側に設けられた
ことを特徴とした請求項１記載の衛生材料容器。
【請求項３】
仕切部は、容器本体の側縁に略沿って形成されこの仕切部の一端縁側が前記容器本体における液体収容部と反対側の端縁と接合され、
液体移動部は、前記仕切部の他端縁部と分離部との間に設けられた
ことを特徴とした請求項１記載の衛生材料容器。
【請求項４】
固体部は、この固体部における液体流出部側の側縁と仕切部との間に設けられ前記液体流出部を容器本体の端縁方向に分離する区画部を備えた
ことを特徴とした請求項３記載の衛生材料容器。
【請求項５】
連通部は、液体流出部から液体収容部へと拡開して形成された
ことを特徴とした請求項１ないし４いずれか一記載の衛生材料容器。
【請求項６】
固体部は、この固体部内をガス滅菌可能にする空隙部を備えた
ことを特徴とした請求項１ないし５いずれか一記載の衛生材料容器。
【請求項７】
液体収容部は、容器本体の外部からこの液体収容部内へと消毒剤が注入される液体注入口を備えた
ことを特徴とした請求項１ないし６いずれか一記載の衛生材料容器。
【請求項８】
固体部は、複数の仕切部を介して液体流出部および複数の材料収容部に分離され、
衛生材料は、これら複数の材料収容部にそれぞれ収容され、
液体移動部は、前記各仕切部にそれぞれ設けられた
ことを特徴とした請求項１ないし７いずれか一記載の衛生材料容器。
【請求項９】
分離部は、この分離部における液体流出部側がこの分離部における材料収容部側よりも容器本体の端縁方向の中心側に位置した
ことを特徴とした請求項１ないし８いずれか一記載の衛生材料容器。
【請求項１０】
固体部は、材料収容部を破断可能にする切込部を備えた
ことを特徴とした請求項１ないし９いずれか一記載の衛生材料容器。
【請求項１１】
固体部は、材料収容部を破断可能にする切取部を備えた
ことを特徴とした請求項１ないし９いずれか一記載の衛生材料容器。
【発明の詳細な説明】
【０００１】
【発明の属する技術分野】
本発明は、たとえば綿棒などの衛生材料および消毒剤をそれぞれ分離して収容する使い捨ての消毒用の衛生材料容器に関する。
【０００２】
【従来の技術】
従来、この種の衛生材料容器としては、いわゆる万能つぼなどの金属製の容器が用いられている。
【０００３】
そして、たとえば病院などにて消毒する場合には、綿棒、あるいはガーゼなどの衛生材料とエタノールなどの消毒剤とを万能つぼなどに収容し、この万能つぼ内にて衛生材料に消毒剤を含浸させる。
【０００４】
しかしながら、上述の万能つぼを用いる衛生材料容器では、使用する毎にこの万能つぼを滅菌し、かつ使用する前に衛生材料および消毒剤をこの万能つぼに収容してこの衛生材料に消毒剤を含浸させなければならないことにより、作業に手間がかかるとともに、消毒剤の量の調整が容易でないなど、使い勝手の向上が容易でない。
【０００５】
また、たとえばポリエチレン（polyethylene）などの合成樹脂などにて形成された使い捨ての衛生材料容器も用いられる。
【０００６】
そして、この衛生材料容器にて梱包した衛生材料に消毒剤を注ぎ、この衛生材料に消毒剤を含浸させる。
【０００７】
しかしながら、上述のポリエチレンなどの合成樹脂などにて形成された使い捨ての衛生材料容器では、衛生材料に消毒剤を含浸させる手間がかかるとともに、消毒剤の量の調整が容易でないなど、使い勝手の向上が容易でない。
【０００８】
さらに、たとえばポリエチレンなどの合成樹脂、あるいはいわゆるラミネートフィルムなどにて袋状に形成され、予め消毒剤が含浸された衛生材料としての綿棒を収容した衛生材料容器も用いられている。
【０００９】
しかしながら、上述のポリエチレンなどの合成樹脂、あるいは袋状のラミネートフィルムにて形成され、予め消毒剤が含浸された綿棒を収容した衛生材料容器では、綿棒に消毒剤を含浸させた状態で長時間置くことにより、この消毒剤の消毒効果が低下するおそれがある。また、この衛生材料容器を長時間置いている間に、消毒剤が綿棒の軸部などの不必要な部分にまで付着するおそれがあるなど、使い勝手の向上が容易でない。
【００１０】
そして、容器本体を、衛生材料としての綿棒を予め収容した材料収容部および消毒剤を予め収容した液体収容部に分離部を介して分離し、この分離部に材料収容部と液体収容部とを連通させるように剥離容易な連通部を形成した使い捨ての衛生材料容器も考えられる。
【００１１】
しかしながら、上述の容器本体を材料収容部および液体収容部に分離した使い捨ての衛生材料容器では、材料収容部と液体収容部とが隣接していることにより、この液体収容部を押圧して消毒剤を綿棒に含浸させる際にこの消毒剤が材料収容部内に飛散して綿棒の軸部などに付着するおそれがあるなど、使い勝手の向上が容易でない。
【００１２】
【発明が解決しようとする課題】
上述したように、万能つぼなどの金属製の容器、ポリエチレンなどの合成樹脂などにて形成された使い捨ての衛生材料容器、予め消毒剤が含浸された綿棒を収容した衛生材料容器、および容器本体を材料収容部および液体収容部に分離した使い捨ての衛生材料容器では、消毒剤の消毒効果の低下の抑制および使い勝手の向上が容易でないという問題点を有している。
【００１３】
本発明はこのような点に鑑みなされたもので、消毒剤の消毒効果の低下を抑制できるとともに使い勝手を向上できる衛生材料容器を提供することを目的とする。
【００１４】
【課題を解決するための手段】
請求項１記載の衛生材料容器は、少なくとも一対の側縁と一対の端縁を有し衛生材料および消毒剤を収容する容器本体を具備した衛生材料容器であって、前記容器本体は、一端縁側に位置し前記消毒剤を収容する液体収容部、および他端縁側に位置する固体部に分離部を介してそれぞれ分離され、前記分離部は、前記液体収容部および前記固体部を前記消毒剤が通過可能に連通させるように剥離容易な連通部を備え、前記固体部は、この固体部の一側縁側に位置し前記消毒剤が前記連通部を介して移動可能な液体流出部、および前記固体部の他側縁側に位置し前記衛生材料を収容する材料収容部に仕切部を介してそれぞれ分離され、前記仕切部は、前記材料収容部および前記液体流出部を前記消毒剤が通過可能に連通させた液体移動部を備えたものである。
【００１５】
そして、容器本体を、一端縁側に位置し消毒剤を収容する液体収容部、および他端縁側に位置する固体部に分離部を介してそれぞれ分離し、この分離部に液体収容部および固体部を消毒剤が通過可能に連通させるように剥離容易な連通部を設け、固体部をこの固体部の側縁側に位置し消毒剤が連通部を介して移動可能な液体流出部、およびこの固体部の他側縁側に位置し衛生材料を収容する材料収容部に仕切部を介してそれぞれ分離し、この仕切部に材料収容部および液体流出部を連通させる液体移動部を設ける。この結果、使用する際に液体収容部を押圧することで消毒剤をこの液体収容部から連通部を介して一旦液体流出部に流出させた後、液体移動部を介して材料収容部へと流出させて衛生材料に含浸させることが可能となるため、消毒剤の量の調整が必要ないとともに、使用する直前に衛生材料の必要な部分にのみ消毒剤を含浸させることができるので、消毒剤の消毒効果の低下を抑制できるとともに使い勝手を向上できる。
【００１６】
請求項２記載の衛生材料容器は、請求項１記載の衛生材料容器において、仕切部は、容器本体の側縁に略沿って形成されこの仕切部の一端縁側が分離部と接合され、液体移動部は、前記仕切部における前記分離部と接合された端縁側と反対側の端縁側に設けられたものである。
【００１７】
そして、仕切部を容器本体の側縁に略沿って形成し、この仕切部の一端側を分離部と接合するとともに、液体移動部を仕切部における分離部と接合された端縁側と反対側の端縁側に設けることにより、衛生材料の必要な部分をこの液体移動部近傍へと移動させて消毒剤をこの衛生材料の必要な部分にのみ含浸させることが可能になるため、使い勝手がより向上する。
【００１８】
請求項３記載の衛生材料容器は、請求項１記載の衛生材料容器において、仕切部は、容器本体の側縁に略沿って形成されこの仕切部の一端縁側が前記容器本体における液体収容部と反対側の端縁と接合され、液体移動部は、前記仕切部の他端縁部と分離部との間に設けられたものである。
【００１９】
そして、仕切部を容器本体の側縁に略沿って形成し、この仕切部の一端縁側を容器本体における液体収容部と反対側の端縁と接合するとともに、液体移動部を仕切部における他端縁部と分離部との間に設けることにより、衛生材料の必要な部分をこの液体移動部近傍へと移動させて消毒剤をこの衛生材料の必要な部分にのみ含浸させることが可能になるため、使い勝手がより向上する。
【００２０】
請求項４記載の衛生材料容器は、請求項３記載の衛生材料容器において固体部は、この固体部における液体流出部側の側縁と仕切部との間に設けられ前記液体流出部を容器本体の端縁方向に分離する区画部を備えたものである。
【００２１】
そして、固体部の液体流出部側の側縁と仕切部との間に、液体流出部を容器本体の端縁方向に分離する区画部を設けることにより、液体流出部に流出した消毒剤がこの区画部にて液体移動部を介して材料収容部へと円滑に流出するため、衛生材料に消毒剤を容易に含浸させることが可能となるため、使い勝手がより向上する。
【００２２】
また、区画部により液体流出部が狭くなるため、この液体流出部に流出した消毒剤のこの液体流出部への残留が抑制されるので、消毒剤をより効率よく使用できる。
【００２３】
請求項５記載の衛生材料容器は、請求項１ないし４いずれか一記載の衛生材料容器において、連通部は、液体流出部から液体収容部へと拡開して形成されたものである。
【００２４】
そして、連通部を、液体流出部から液体収容部へと拡開して形成することにより、液体収容部から液体流出部へと流出した消毒剤が、連通部を介してこの液体流出部から液体収容部へと戻ることを抑制できるため、消毒剤を効率よくかつ確実に使用できる。
【００２５】
請求項６記載の衛生材料容器は、請求項１ないし５いずれか一記載の衛生材料容器において、固体部は、この固体部内をガス滅菌可能にする空隙部を備えたものである。
【００２６】
そして、固体部に、この固体部内をガス滅菌可能にする空隙部を設けることにより、衛生材料、あるいは消毒剤を容器本体内に収容した後にこの空隙部を介して固体部内をガス滅菌できるため、製造性がより向上する。
【００２７】
請求項７記載の衛生材料容器は、請求項１ないし６いずれか一記載の衛生材料容器において、液体収容部は、容器本体の外部からこの液体収容部内へと消毒剤が注入される液体注入口を備えたものである。
【００２８】
そして、液体注入口を液体収容部に設けることにより、予め衛生材料のみを容器本体に収容した後にこの液体注入口から消毒剤を注入できるため、製造性がより向上する。
【００２９】
請求項８記載の衛生材料容器は、請求項１ないし７いずれか一記載の衛生材料容器において、固体部は、複数の仕切部を介して液体流出部および複数の材料収容部に分離され、衛生材料は、これら複数の材料収容部にそれぞれ収容され、液体移動部は、前記各仕切部にそれぞれ設けられたものである。
【００３０】
そして、固体部を、複数の仕切部を介して液体流出部および複数の材料収容部に分離し、各材料収容部に衛生材料を収容するとともに各仕切部にそれぞれ液体移動部を設けることにより、複数の衛生材料がそれぞれ互いに接触しないように収容され、液体収容部に収容された消毒剤を、液体移動部を介して各材料収容部に移動させることが可能となる。この結果、複数の衛生材料に効率よく一度に消毒剤を含浸させることが可能となり、作業性がより向上する。
【００３１】
請求項９記載の衛生材料容器は、請求項１ないし８いずれか一記載の衛生材料容器において、分離部は、この分離部における液体流出部側がこの分離部における材料収容部側よりも容器本体の端縁方向の中心側に位置したものである。
【００３２】
そして、分離部は、この分離部における液体流出部側がこの分離部における材料収容部側よりも容器本体の端縁方向の中心側に位置したことにより、液体収容部の液体流出部側がこの液体収容部の材料収容部側よりも容器本体の端縁方向に突出するため、液体収容部をたとえば押圧すると、内圧が連通部に集中しやすくなりこの連通部を容易に剥離できるので、使い勝手がより向上する。
【００３３】
請求項１０記載の衛生材料容器は、請求項１ないし９いずれか一記載の衛生材料容器において、固体部は、材料収容部を破断可能にする切込部を備えたものである。
【００３４】
そして、固体部に材料収容部を破断可能にする切込部を設けることにより、この切込部から材料収容部を破断して衛生材料をより容易に取り出し可能となる。
【００３５】
請求項１１記載の衛生材料容器は、請求項１ないし９いずれか一記載の衛生材料容器において、固体部は、材料収容部を破断可能にする切取部を備えたものである。
【００３６】
そして、固体部に材料収容部を破断可能にする切取部を設けることにより、この切取部から材料収容部を破断して衛生材料をより容易に取り出し可能となる。
【００３７】
【発明の実施の形態】
以下、本発明の衛生材料容器の第１の実施の形態の構成を図１を参照して説明する。
【００３８】
図１において、衛生材料容器は、たとえば衛生材料容器であり、略矩形状の容器本体１を備えている。この容器本体１は、たとえばポリプロピレン（polypropylene:PP）、ポリエチレンテレフタレート（polyethylene terephthalate:PET）、ポリエチレン、ポリアクリロニトリル（polyacrylonitrile:PAN）、ポリアミド（polyamide:PA）、エチレン・ビニルアルコール共重合体（ethylene vinyl alcohol copolymer:EVOH）、ポリビニルアルコール（polyvinyl alcohol:PVA）、酸化珪素蒸着フィルムなどの合成樹脂、あるいはこれら合成樹脂を組み合わせた材料にて形成され、好ましくはある程度の剛性を持たせ、たとえば作業台などに置いた際に安定感があるようにする。そして、この容器本体１は、これら合成樹脂の透明なフィルムを略細長矩形状に形成してたとえば２枚あわせ、外周部1aを熱溶着などにて溶着させて袋状に形成されている。このため、容器本体１は、長手方向の両側が一対の端縁、幅方向の両側が一対の側縁となっている。
【００３９】
また、この容器本体１の一端縁側である長手方向の一端側には、容器本体１の幅方向に略沿ってこの容器本体１の幅方向全域にわたって帯状の分離部２が形成されている。この分離部２は、容器本体１のフィルムを熱溶着などにて溶着して形成されており、この分離部２により、容器本体１は、この容器本体１の長手方向の一端側に位置した略矩形状の液体収容部３、およびこの容器本体１の長手方向の他端側に位置した略矩形状の固体部４に分離されている。この液体収容部３には、消毒剤Ｄが収容されている。この消毒剤Ｄは、たとえばエタノール（ethanol）、あるいはイソプロパノール（isopropanol）などのアルコール、ポビドンヨード、グルコン酸クロルヘキシジン、塩化ベンザルコニウム、塩化ゼンゼトニウムなどの物質、あるいはこれらの物質を混合させたものである。
【００４０】
さらに、分離部２の固体部４側には、この分離部２と略直交する方向、すなわち容器本体１の長手方向に略沿って、帯状の仕切部５が連接して形成されている。このため、この仕切部５は、容器本体１の側縁に略沿って形成されている。また、この仕切部５は、容器本体１のフィルムを熱溶着などにて溶着してこの容器本体１の長手方向における液体収容部３と反対側の一端までわたって形成され、容器本体１の幅方向の中心域よりもこの容器本体１の側縁側である幅方向の一側に若干寄った位置に形成されている。この仕切部５により、固体部４は、容器本体１の幅方向の一端側に位置した略細長矩形状の液体流出部６、およびこの容器本体１の幅方向の他端側に位置した略細長矩形状の材料収容部７に分離されている。この材料収容部７には、衛生材料としての綿棒Ｓが収容されている。この綿棒Ｓは、材料収容部７の長手寸法よりも若干小さい長手寸法を有した長細状の軸部Ａを備えており、この軸部Ａの先端には、綿球Ｃが取り付けられている。この綿球Ｃには、消毒剤Ｄが含浸される。そして、この綿棒Ｓは、容器本体１の長手方向である材料収容部７の長手方向に略沿った状態、たとえば綿球Ｃを液体収容部３側に向けた状態で収容されている。
【００４１】
また、分離部２における液体収容部３と液体流出部６との間の部分には、略矩形状の連通部11が形成されている。この連通部11は、液体流出部６の幅寸法よりも小さい幅寸法に形成され、液体収容部３と液体流出部６とを連通させるように剥離容易となっている。この連通部11の剥離により、液体収容部３内に収容された消毒剤Ｄがこの連通部11を通過可能になり、この消毒剤Ｄが液体流出部６へと流出可能になる。
【００４２】
そして、仕切部５には、液体流出部６および材料収容部７を連通する略矩形状の液体移動部12が形成されている。この液体移動部12は、仕切部５と分離部２との連接部よりも容器本体１の長手方向における固体部４側に、この仕切部５を剥離して形成されている。この液体移動部12は、液体収容部３に収容された消毒剤Ｄが通過可能であり、この液体移動部12により、この消毒剤Ｄが液体流出部６を介して材料収容部７へと流出可能になる。
【００４３】
次に、上記第１の実施の形態の作用を説明する。
【００４４】
まず、消毒剤Ｄを収容した液体収容部３を押圧すると、この液体収容部３の内圧が増加する。
【００４５】
すると、この液体収容部３の内圧の増加にて連通部11が圧迫されることにより、この連通部11が剥離して液体収容部３と液体流出部６とが連通し、消毒剤Ｄがこの連通部11を介して液体流出部６に流出する。
【００４６】
このとき、液体収容部３から消毒剤Ｄが液体流出部６内に勢いよく飛散するなどしても、液体流出部６には何も収容されていないため、この液体流出部６が緩衝域となり、この液体流出部６から連通部11を介して飛散した消毒剤Ｄが一旦液体流出部６に流出し直接綿棒Ｓの軸部Ａなどに付着しない。
【００４７】
次いで、液体流出部６を押圧して、この液体流出部６に流出した消毒剤Ｄを、液体移動部12を介して材料収容部７へと流出させ、この材料収容部７に収容された綿棒Ｓの綿球Ｃに含浸させる。
【００４８】
そして、材料収容部７に流入した消毒剤Ｄを綿棒Ｓの綿球Ｃに充分に含浸させた後、固体部４の一部をたとえば幅方向に沿って切断し、材料収容部７から綿棒Ｓを取り出して使用する。
【００４９】
上述したように、上記第１の実施の形態によれば、容器本体１を、液体収容部３、および固体部４に分離部２を介してそれぞれ分離し、この分離部２に消毒剤Ｄが通過可能に液体収容部３および固体部４を連通させるように剥離容易な連通部11を形成し、固体部４を消毒剤Ｄが連通部11を介して移動可能な液体流出部６、および綿棒Ｓを収容する材料収容部７に仕切部５を介してそれぞれ分離し、この仕切部５に材料収容部７および液体流出部６を連通させる液体移動部12を形成する。この結果、使用する際に液体収容部３を押圧することで消毒剤Ｄをこの液体収容部３から連通部11を介して一旦液体流出部６に流出させた後、この消毒剤Ｄを液体移動部12を介して材料収容部７へと流出させて綿棒Ｓの綿球Ｃに含浸できるため、消毒剤Ｄの量を調整する必要がないとともに、使用する直前に綿棒Ｓの綿球Ｃにのみ消毒剤Ｄを含浸できるので、消毒剤Ｄの消毒効果の低下を抑制できるとともに使い勝手を向上できる。
【００５０】
また、分離部２における液体収容部３と液体流出部６との間の部分に剥離容易な連通部11を形成したことにより、液体収容部３を押圧するだけでこの連通部11が剥離して消毒剤Ｄが液体流出部６へと流出し、液体移動部12を介してこの消毒剤Ｄを材料収容部７へと流出させることができ、この消毒剤Ｄを容易に綿棒Ｓの綿球Ｃに含浸できるため、作業性を向上できる。
【００５１】
さらに、消毒剤Ｄおよび綿棒Ｓを、使用する際に必要な量だけ使用できるため、予め消毒剤Ｄおよび綿棒Ｓを予め含浸させて作り置くことによる菌の混入、あるいは余剰廃棄などの無駄を防止できる。
【００５２】
なお、上記第１の実施の形態において、図２に示すように、仕切部５の分離部２と反対側の一端縁側を容器本体１の幅方向に傾斜させ、材料収容部７が分離部２から離れる方向に向かって狭くなるように形成してもよい。この場合には、容器本体１の幅寸法をより低減できる。
【００５３】
また、図３に示すように、仕切部５の分離部２と反対側の一端縁側を容器本体１の幅方向に傾斜させ、材料収容部７が分離部２から離れる方向に向かって広くなるように形成し、この仕切部５の分離部２と反対側の端縁に液体移動部12を形成してもよい。この場合には、容器本体１の幅寸法をより低減できる。
【００５４】
さらに、図４に示すように、仕切部５を容器本体１の長手方向に略沿ってこの容器本体１の長手方向全域にわたって形成し、液体収容部３を容器本体１の一側縁側に分離して形成してもよい。この場合には、たとえば消毒剤Ｄが比較的少なくてもよい場合に用いることができ、材料収容部７の長手寸法を容器本体１の長手寸法と略等しくすることが可能となるため、容器本体１の長手寸法をより低減できる。
【００５５】
次に、本発明の第２の実施の形態を図５を参照して説明する。
【００５６】
この図５に示す実施の形態は、図１に示す実施の形態と基本的に同様の構成を有しているが、仕切部５は、長手方向の一端が分離部２と接合され、この仕切部５における分離部２と接合された側と反対側の長手方向の一端には、液体移動部12が形成されている。また、綿棒Ｓは、綿球Ｃを容器本体１の長手方向におけるこの液体移動部12と同側に向けた状態で材料収容部７内に収容されている。
【００５７】
そして、容器本体１を、液体収容部３を上側にして把持した状態で、液体収容部３を押圧すると、液体収容部３の内圧の増加により連通部11が剥離して消毒剤Ｄがこの連通部11を介して液体流出部６に流出する。
【００５８】
この後、消毒剤Ｄが液体流出部６内を下方へと流れ落ち、この容器本体１の下側に位置した液体移動部12を介して、この消毒剤Ｄが材料収容部７へと流出する。
【００５９】
このとき、綿棒Ｓの綿球Ｃをこの液体移動部12の近傍へと移動させることにより、綿球Ｃに消毒剤Ｄが容易に含浸される。
【００６０】
そして、消毒剤Ｄを綿棒Ｓの綿球Ｃに含浸させた後、固体部４の一部をたとえば幅方向に沿って切断し、材料収容部７から綿棒Ｓを取り出して使用する。
【００６１】
上述したように、上記第２の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【００６２】
また、液体移動部12を、仕切部５における分離部２と反対側の一端に形成したことにより、液体収容部３を上側にした状態で容器本体１を把持して連通部11を連通させると、消毒剤Ｄが液体流出部６内を下方へと流れ落ちる。この結果、綿棒Ｓの綿球Ｃを容器本体１の長手方向における液体移動部12と同側に向けた状態で収容し、この綿球Ｃを液体流出部６の下端に位置した液体移動部12の近傍に移動させることで、消毒剤Ｄを容易に綿棒Ｓの綿球Ｃへと含浸できるので、使い勝手をより向上できる。
【００６３】
次に、本発明の第３の実施の形態を図６を参照して説明する。
【００６４】
この図６に示す実施の形態は、図１に示す実施の形態と基本的に同様の構成を有しているが、液体移動部12は、仕切部５の長手方向における分離部２側の一端と分離部２との間に形成されている。また、綿棒Ｓは、綿球Ｃを容器本体１の長手方向における液体移動部12側に向けた状態で収容されている。
【００６５】
そして、液体収容部３を押圧することにより連通部11が剥離して消毒剤Ｄがこの連通部11を介して液体流出部６に流出する。
【００６６】
このとき、液体移動部12が仕切部５の長手方向における分離部２側の一端側に形成されていることにより、液体流出部６に流出した消毒剤Ｄが容易に液体移動部12を介して材料収容部７へと流出し、綿棒Ｓの綿球Ｃに含浸される。
【００６７】
さらに、消毒剤Ｄを綿棒Ｓの綿球Ｃに充分に含浸させた後、固体部４の一部をたとえば幅方向に沿って切断し、材料収容部７から綿棒Ｓを取り出して使用する。
【００６８】
上述したように、上記第３の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【００６９】
また、液体移動部12を仕切部５の長手方向における分離部２側の一端とこの分離部２との間に形成したことにより、連通部11を介して液体流出部６へと流出した消毒剤Ｄをこの液体移動部12を介して容易に綿棒Ｓの綿球Ｃに含浸できるため、使い勝手をより向上できる。
【００７０】
次に、本発明の第４の実施の形態を図７を参照して説明する。
【００７１】
この図７に示す実施の形態は、図６に示す実施の形態と基本的に同様の構成を有しているが、液体流出部６の長手方向の略中心域には、固体部４のこの液体流出部６側の側縁と仕切部５との間にわたって区画部としてのシール部13が形成されている。このシール部13は、たとえば熱溶着などにて容器本体１を溶着して形成され、仕切部５に連接して形成されており、分離部２と略平行となっている。このシール部13により、液体流出部６はこの液体流出部６の長手方向に分離されている。
【００７２】
そして、液体収容部３を押圧することにより連通部11が剥離して消毒剤Ｄがこの連通部11を介して液体流出部６に流出する。
【００７３】
このとき、固体部４の液体流出部６側の側縁と仕切部５との間にわたってシール部13が形成されていることにより、この液体流出部６に流出した消毒剤Ｄが、このシール部13にて堰き止められて、この液体流出部６の長手方向における液体収容部３と反対側まで移動することが防止され、この消毒剤Ｄがより円滑に液体移動部12を介して材料収容部７へと流出し、綿棒Ｓの綿球Ｃに含浸される。
【００７４】
さらに、消毒剤Ｄを綿棒Ｓの綿球Ｃに充分に含浸させた後、固体部４の一部をたとえば幅方向に沿って切断し、材料収容部７から綿棒Ｓを取り出して使用する。
【００７５】
上述したように、上記第４の実施の形態によれば、容器本体１を分離部２にて液体収容部３および固体部４に分離し、この固体部４を仕切部５にて液体流出部６および材料収容部７に分離し、分離部２に剥離容易な連通部11を形成し、液体移動部12を仕切部５の長手方向における分離部２側の一端側に形成するなど図６に示す実施の形態と同様の構成を有することにより、図６に示す実施の形態と同様の作用効果を奏することができる。
【００７６】
また、シール部13にて液体流出部６を長手方向に分離したことにより、連通部11を介して液体流出部６へと流出した消毒剤Ｄが、このシール部13にて堰き止められて、この液体流出部６の長手方向における液体収容部３と反対側まで移動することが防止されるため、消毒剤Ｄがより円滑に液体移動部12を介して材料収容部７へと流出し、使い勝手を向上できる。
【００７７】
さらに、このシール部13により、液体流出部６の液体収容部３側の面積が狭くなるため、この液体流出部６内に消毒剤Ｄが残留が抑制され、この消毒剤Ｄを効率よく使用できる。
【００７８】
なお、上記第４の実施の形態において、図８に示すように、シール部13よりも液体収容部３から離れた側の仕切部５は、容器本体１の長手方向における液体収容部３と反対側の一端まで形成しなくてもよい。この場合には、溶着する部分が少なくて済むため、製造性をより向上できる。
【００７９】
次に、本発明の第５の実施の形態を図９を参照して説明する。
【００８０】
この図９に示す実施の形態は、図１に示す実施の形態と基本的に同様の構成を有しているが、連通部11は、液体流出部６側から液体収容部３側へと拡開した、平面視略台形状に形成されている。
【００８１】
そして、液体収容部３を押圧することにより連通部11が剥離して消毒剤Ｄがこの連通部11を介して液体流出部６に流出する。
【００８２】
このとき、連通部11を、液体流出部６側から液体収容部３側へと拡開して形成したことにより、一旦液体流出部６へと流出した消毒剤Ｄが、この連通部11から液体収容部３へと逆流して戻ることをこの連通部11にて防止する。
【００８３】
この後、液体流出部６を押圧して、この液体流出部６に流出した消毒剤Ｄを、液体移動部12を介して材料収容部７へと流出させ、この材料収容部７に収容された綿棒Ｓの綿球Ｃに含浸させて、固体部４の一部をたとえば幅方向に沿って切断し、材料収容部７から綿棒Ｓを取り出して使用する。
【００８４】
上述したように、上記第５の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【００８５】
また、連通部11を、液体流出部６側から液体収容部３側へと拡開して形成したことにより、この連通部11が剥離して一旦液体流出部６へと流出した消毒剤Ｄが、この連通部11を介して液体収容部３へと戻ることが防止されるため、使い勝手をより向上できる。
【００８６】
次に、本発明の第６の実施の形態を図１０を参照して説明する。
【００８７】
この図１０に示す実施の形態は、図１に示す実施の形態と基本的に同様の構成を有しているが、材料収容部７の長手方向における液体収容部３と反対側近傍には、空隙部14が形成されている。この空隙部14は、たとえば図示しない小径の孔が穿設された滅菌紙にて形成されており、たとえば直径０．４５μｍ以下、好ましくは０．１μｍ以下程度の穴口を有している。ここで、菌の大きさは最小で約０．４５μｍ〜０．２μｍ程度であるため、この空隙部14はたとえばエチレンオキサイド（ethylene oxide:EO）などのガスが透過でき、かつ菌が通過できない。このため、この空隙部14により、容器本体１内はガス滅菌可能であるとともに、菌の透過が防止されている。この空隙部14により、固体部４、とくに材料収容部７は、内部を滅菌可能となっている。
【００８８】
そして、消毒剤Ｄと綿棒Ｓとを収容した後、外周部1aを熱溶着などにて溶着した容器本体１をガス内に載置すると、空隙部14からこのガスが固体部４、とくに材料収容部７内に進入し、この材料収容部７内を滅菌する。
【００８９】
この後、液体収容部３を押圧して連通部11を剥離させると消毒剤Ｄがこの連通部11を介して液体流出部６に流出し、この消毒剤Ｄが液体移動部12を介して材料収容部７へと流出し、綿棒Ｓの綿球Ｃに含浸される。
【００９０】
さらに、消毒剤Ｄを綿棒Ｓの綿球Ｃに充分に含浸させた後、固体部４の一部をたとえば幅方向に沿って切断し、材料収容部７から綿棒Ｓを取り出して使用する。
【００９１】
上述したように、上記第６の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【００９２】
また、固体部４に、この固体部４内をガス滅菌可能にする空隙部14を形成することにより、綿棒Ｓ、あるいは消毒剤Ｄを容器本体１内に収容した後でも、この空隙部14を介して固体部４内をガス滅菌できるため、予め綿棒Ｓを滅菌しておく必要がなく、製造性をより向上できる。
【００９３】
さらに、固体部４、とくに材料収容部７をガス滅菌した後、使用するまで放置しても、この固体部４、とくに材料収容部７内は菌が進入せず滅菌状態に保たれているため、使い勝手をより向上できる。
【００９４】
なお、上記第６の実施の形態において、空隙部14は、気体のみが透過可能な小径の孔を多数形成すれば、滅菌紙を用いなくてもよい。
【００９５】
そして、図１１に示すように、空隙部14は、固体部４の幅方向全域にわたって形成してもよい。この場合には、たとえば製造工程において、容器本体１をこの容器本体１の幅方向に連続的に製造する場合に、滅菌紙などを置くだけで製造でき、製造性をより向上できる。
【００９６】
また、図１２に示すように、空隙部14は、材料収容部７の長手方向の全域にわたって形成してもよい。この場合には、液体収容部３を容器本体１の幅方向における液体流出部６側にのみ形成することで、この空隙部14からの消毒剤Ｄの染み出しを防止するとともに、たとえば製造工程において、容器本体１をこの容器本体１の長手方向に連続的に製造する場合に、滅菌紙などを置くだけで製造でき、製造性をより向上できる。
【００９７】
次に、本発明の第７の実施の形態を図１３を参照して説明する。
【００９８】
この図１３に示す実施の形態は、図１に示す実施の形態と基本的に同様の構成を有しているが、液体収容部３における容器本体１の長手方向の一端には、この容器本体１の外部から消毒剤Ｄが注入される液体注入口15が、この容器本体１の外周部1aから外方に突出して形成されている。
【００９９】
そして、容器本体１の外周部1aを、この容器本体１内に綿棒Ｓを収容した後で熱溶着などにて溶着し、容器本体１の長手方向における液体収容部３側の一端に液体注入口15を形成する。
【０１００】
この後、この液体注入口15から所定の量の消毒剤Ｄを、液体収容部３内へと注入してこの液体注入口15を閉塞する。
【０１０１】
そして、液体収容部３を押圧して連通部11を剥離させると消毒剤Ｄがこの連通部11を介して液体流出部６に流出し、この消毒剤Ｄが液体移動部12を介して材料収容部７へと流出し、綿棒Ｓの綿球Ｃに含浸される。
【０１０２】
さらに、消毒剤Ｄを綿棒Ｓの綿球Ｃに充分に含浸させた後、固体部４の一部をたとえば幅方向に沿って切断し、材料収容部７から綿棒Ｓを取り出して使用する。
【０１０３】
上述したように、上記第７の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【０１０４】
また、液体注入口15を形成したことにより、予め綿棒Ｓのみを容器本体１に収容した状態でこの容器本体１の外周部1aを溶着でき、製造工程を最も簡略化できる段階で消毒剤Ｄを液体収容部３に注入できるので、製造性をより向上できる。
【０１０５】
なお、上記第７の実施の形態において、図１４に示すように、液体注入口15は、液体収容部３における容器本体１の幅方向の一端に突出して形成しても、容器本体１の長手方向の一端に突出して形成した場合と同様の作用効果を奏することができる。
【０１０６】
次に、本発明の第８の実施の形態を図１５を参照して説明する。
【０１０７】
この図１５に示す実施の形態は、図１に示す実施の形態と基本的に同様の構成を有しているが、材料収容部７には、仕切部５が複数、たとえば３つ形成されており、これら仕切部５は、容器本体１の幅方向に略等間隔に互いに離間されている。これら仕切部５により、固体部４は液体流出部６、および複数、たとえば３つの材料収容部７に分離されている。各材料収容部７には、それぞれ綿棒Ｓが収容されている。さらに、これら各仕切部５における分離部２側の一端には、液体移動部12がそれぞれ形成されている。
【０１０８】
そして、液体収容部３を押圧することにより連通部11が剥離して消毒剤Ｄがこの連通部11を介して液体流出部６に流出する。
【０１０９】
この後、液体流出部６に流出した消毒剤Ｄを液体移動部12を介して各材料収容部７へと流出させて各綿棒Ｓの綿球Ｃに含浸させ、固体部４の一部をたとえば幅方向に沿って切断し、材料収容部７から綿棒Ｓを取り出して使用する。
【０１１０】
上述したように、上記第８の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【０１１１】
また、固体部４を、液体流出部６、および３つの材料収容部７に分離し、綿棒Ｓを各材料収容部７に収容し、各仕切部５にそれぞれ液体移動部12を形成したことにより、複数の綿棒Ｓを互いに接触しないように収容でき、消毒剤Ｄを各液体移動部12を介して効率よく一度に綿棒Ｓの綿球Ｃに含浸できるため、使い勝手を向上できる。
【０１１２】
次に、本発明の第９の実施の形態を図１６を参照して説明する。
【０１１３】
この図１６に示す実施の形態は、図６に示す実施の形態と基本的に同様の構成を有しているが、分離部２は、液体流出部６側の一端が材料収容部７側の一端よりもこの容器本体１の長手方向の中心側に位置し、仕切部５の近傍が段差状に形成されている。このため、液体収容部３は、この仕切部５により平面視略Ｌ字状に形成されている。また、連通部11は、この分離部２の液体流出部６側の一端に形成されている。さらに、この分離部２の段差状の部分には、液体移動部12が形成されている。
【０１１４】
そして、液体収容部３を押圧することにより、この液体収容部３の内圧が増加する。
【０１１５】
このとき、分離部２における液体流出部６側の材料収容部７側の一端よりも容器本体１の長手方向の中心側に位置した一端に連通部11が形成されていることにより、液体収容部３の内圧がこの連通部11に集中してこの連通部11が容易に剥離する。
【０１１６】
さらに、この剥離した連通部11を介して液体流出部６に流出した消毒剤Ｄは、分離部２の段差状の部分に沿って移動して液体移動部12を介して材料収容部７へと流出し、綿棒Ｓの綿球Ｃに含浸される。
【０１１７】
そして、固体部４の一部をたとえば幅方向に沿って切断し、材料収容部７から綿棒Ｓを取り出して使用する。
【０１１８】
上述したように、上記第９の実施の形態によれば、容器本体１を分離部２にて液体収容部３および固体部４に分離し、この固体部４を仕切部５にて液体流出部６および材料収容部７に分離し、分離部２に剥離容易な連通部11を形成し、液体移動部12を仕切部５の長手方向における分離部２側の一端側に形成するなど図６に示す実施の形態と同様の構成を有することにより、図６に示す実施の形態と同様の作用効果を奏することができる。
【０１１９】
また、分離部２における液体流出部６側の一端を、この分離部２における材料収容部７側の一端よりも容器本体１の長手方向の中心側に位置させたことにより、液体収容部３の液体流出部６側がこの液体収容部３の材料収容部７側よりも容器本体１の長手方向の中心側に突出するため、液体収容部３を押圧すると、液体収容部３の内圧が連通部11に集中しやすくなるので、この連通部11を容易に剥離できるので、使い勝手をより向上できる。
【０１２０】
さらに、分離部２の仕切部５近傍を段差状に形成し、この段差状の部分に液体移動部12を形成したことにより、連通部11を介して液体流出部６に流出した消毒剤Ｄが、この分離部２の段差状の部分に沿って移動して容易に液体移動部12を介して材料収容部７へと流出するため、使い勝手をより向上できる。
【０１２１】
なお、上記第９の実施の形態において、図１７に示すように、液体移動部12を、仕切部５の長手方向における分離部２と反対側の一端に形成してもよい。この場合には、液体収容部３を上側にして容器本体１を把持することにより、連通部11を剥離させると消毒剤Ｄが液体流出部６内を下方へと流れ落ちた後、液体移動部12から材料収容部７へと流出して綿棒Ｓの綿球Ｃに容易に含浸できるため、使い勝手を向上できる。
【０１２２】
また、図１８に示すように、分離部２の材料収容部７側の一端をこの分離部２の液体流出部６側の一端に対して液体収容部３側の容器本体１の長手方向の一端側へと傾斜させてもよい。この場合には、液体流出部６から流出した消毒剤Ｄがこの分離部２の傾斜に沿って材料収容部７へと流出するため、消毒剤Ｄをより容易に綿棒Ｓの綿球Ｃに含浸できるので、使い勝手を向上できる。
【０１２３】
さらに、上記第１の実施の形態ないし第９の実施の形態において、材料収容部７の外側の外周部1aを剥離可能なフラップ部などとし、綿棒Ｓを材料収容部７から取り出しやすくしてもよい。
【０１２４】
次に、本発明の第１０の実施の形態を図１９を参照して説明する。
【０１２５】
この図１９に示す実施の形態は、図１に示す実施の形態と基本的に同様の構成を有しているが、材料収容部７の長手方向における液体収容部３と反対側の一端の側縁の容器本体１の外周部1aには、鋭角状、すなわち平面視略Ｖ字状の切込部16が形成されている。この切込部16により、材料収容部７は破断可能となり、この材料収容部７から綿棒Ｓを取り出し可能となる。
【０１２６】
そして、液体収容部３を押圧して連通部11を剥離させると、消毒剤Ｄがこの連通部11を介して液体流出部６に流出した後、液体移動部12を介して材料収容部７へと流出して綿棒Ｓの綿球Ｃに含浸される。
【０１２７】
この後、容器本体１における切込部16の上側と下側とを把持し、この容器本体１における上側を下側に対してこの容器本体１の幅方向に撓ませると、この切込部16から容器本体１の材料収容部７が破断し、綿棒Ｓがこの材料収容部７から取り出し可能となる。
【０１２８】
さらに、この材料収容部７から綿棒Ｓを取り出して使用する。
【０１２９】
上述したように、上記第１０の実施の形態によれば、容器本体１を分離部２にて液体収容部３および固体部４に分離し、この固体部４を仕切部５にて液体流出部６および材料収容部７に分離し、分離部２に剥離容易な連通部11を形成し、仕切部５に液体移動部12を形成するなど図１に示す実施の形態と同様の構成を有することにより、図１に示す実施の形態と同様の作用効果を奏することができる。
【０１３０】
また、材料収容部７に切込部16を形成したことにより、この切込部16から材料収容部７を破断させて綿棒Ｓを容易に取り出すことができるため、消毒剤Ｄを含浸させた後の綿棒Ｓを容易に取り出しでき、使い勝手を向上できる。
【０１３１】
なお、上記第１０の実施の形態において、図２０に示すように、材料収容部７の幅方向全域にわたって、材料収容部７を破断可能にする、たとえばミシン目などの切取部17を形成してもよい。この場合にも、材料収容部７に切込部16を形成した場合と同様の作用効果を奏することができる。
【０１３２】
また、上記各実施の形態において、容器本体１は、たとえばポリエチレンなどのフィルム１枚を幅方向の中心線に沿って折り畳み、両側縁を合わせて袋状に形成してもよい。この場合には、熱溶着などにて溶着する容器本体１の外周部1aを減らすことができるため、製造性をより向上できる。
【０１３３】
【発明の効果】
請求項１記載の衛生材料容器によれば、容器本体を、一端縁側に位置し消毒剤を収容する液体収容部、および他端縁側に位置する固体部に分離部を介してそれぞれ分離し、この分離部に液体収容部および固体部を消毒剤が通過可能に連通させるように剥離容易な連通部を設け、固体部をこの固体部の側縁側に位置し消毒剤が連通部を介して移動可能な液体流出部、およびこの固体部の他側縁側に位置し衛生材料を収容する材料収容部に仕切部を介してそれぞれ分離し、この仕切部に材料収容部および液体流出部を連通させる液体移動部を設ける。この結果、使用する際に液体収容部を押圧することで消毒剤をこの液体収容部から連通部を介して一旦液体流出部に流出させた後、液体移動部を介して材料収容部へと流出させて衛生材料に含浸させることが可能となるため、消毒剤の量の調整が必要ないとともに、使用する直前に衛生材料の必要な部分にのみ消毒剤を含浸させることができるので、消毒剤の消毒効果の低下を抑制できるとともに使い勝手を向上できる。
【０１３４】
請求項２記載の衛生材料容器によれば、仕切部を容器本体の側縁に略沿って形成し、この仕切部の一端側を分離部と接合するとともに、液体移動部を仕切部における分離部と接合された端縁側と反対側の端縁側に設けることにより、衛生材料の必要な部分をこの液体移動部近傍へと移動させて消毒剤をこの衛生材料の必要な部分にのみ含浸させることが可能になるため、使い勝手をより向上できる。
【０１３５】
請求項３記載の衛生材料容器によれば、仕切部を容器本体の側縁に略沿って形成し、この仕切部の一端縁側を容器本体における液体収容部と反対側の端縁と接合するとともに、液体移動部を仕切部における他端縁部と分離部との間に設けることにより、衛生材料の必要な部分をこの液体移動部近傍へと移動させて消毒剤をこの衛生材料の必要な部分にのみ含浸させることが可能になるため、使い勝手をより向上できる。
【０１３６】
請求項４記載の衛生材料容器によれば、固体部の液体流出部側の側縁と仕切部との間に、液体流出部を容器本体の端縁方向に分離する区画部を設けることにより、液体流出部に流出した消毒剤がこの区画部にて液体移動部を介して材料収容部へと円滑に流出するため、衛生材料に消毒剤を容易に含浸させることが可能となるため、使い勝手をより向上できる。
【０１３７】
また、区画部により液体流出部が狭くなるため、この液体流出部に流出した消毒剤のこの液体流出部への残留が抑制されるので、消毒剤をより効率よく使用できる。
【０１３８】
請求項５記載の衛生材料容器によれば、連通部を、液体流出部から液体収容部へと拡開して形成することにより、液体収容部から液体流出部へと流出した消毒剤が、連通部を介してこの液体流出部から液体収容部へと戻ることを抑制できるため、消毒剤を効率よくかつ確実に使用できる。
【０１３９】
請求項６記載の衛生材料容器によれば、固体部に、この固体部内をガス滅菌可能にする空隙部を設けることにより、衛生材料、あるいは消毒剤を容器本体内に収容した後にこの空隙部を介して固体部内をガス滅菌できるため、製造性をより向上できる。
【０１４０】
請求項７記載の衛生材料容器によれば、液体注入口を液体収容部に設けることにより、予め衛生材料のみを容器本体に収容した後にこの液体注入口から消毒剤を注入できるため、製造性をより向上できる。
【０１４１】
請求項８記載の衛生材料容器によれば、固体部を、複数の仕切部を介して液体流出部および複数の材料収容部に分離し、各材料収容部に衛生材料を収容するとともに各仕切部にそれぞれ液体移動部を設けることにより、複数の衛生材料がそれぞれ互いに接触しないように収容され、液体収容部に収容された消毒剤を、液体移動部を介して各材料収容部に移動させることが可能となる。この結果、複数の衛生材料に効率よく一度に消毒剤を含浸させることが可能となり、作業性をより向上できる。
【０１４２】
請求項９記載の衛生材料容器によれば、分離部は、この分離部における液体流出部側がこの分離部における材料収容部側よりも容器本体の端縁方向の中心側に位置したことにより、液体収容部の液体流出部側がこの液体収容部の材料収容部側よりも容器本体の端縁方向に突出するため、液体収容部をたとえば押圧すると、内圧が連通部に集中しやすくなりこの連通部を容易に剥離できるので、使い勝手をより向上できる。
【０１４３】
請求項１０記載の衛生材料容器によれば、固体部に材料収容部を破断可能にする切込部を設けることにより、この切込部から材料収容部を破断して衛生材料をより容易に取り出しできる。
【０１４４】
請求項１１記載の衛生材料容器によれば、固体部に材料収容部を破断可能にする切取部を設けることにより、この切取部から材料収容部を破断して衛生材料をより容易に取り出しできる。
【図面の簡単な説明】
【図１】本発明の衛生材料容器の第１の実施の形態を示す正面図である。
【図２】同上衛生材料容器の他の例を示す正面図である。
【図３】同上衛生材料容器のさらに他の例を示す正面図である。
【図４】同上衛生材料容器のさらに他の例を示す正面図である。
【図５】本発明の衛生材料容器の第２の実施の形態を示す正面図である。
【図６】本発明の衛生材料容器の第３の実施の形態を示す正面図である。
【図７】本発明の衛生材料容器の第４の実施の形態を示す正面図である。
【図８】同上衛生材料容器の他の例を示す正面図である。
【図９】本発明の衛生材料容器の第５の実施の形態の一部を示す正面図である。
【図１０】本発明の衛生材料容器の第６の実施の形態を示す正面図である。
【図１１】同上衛生材料容器の他の例を示す正面図である。
【図１２】同上衛生材料容器のさらに他の例を示す正面図である。
【図１３】本発明の衛生材料容器の第７の実施の形態を示す正面図である。
【図１４】同上衛生材料容器の他の例を示す正面図である。
【図１５】本発明の衛生材料容器の第８の実施の形態を示す正面図である。
【図１６】本発明の衛生材料容器の第９の実施の形態を示す正面図である。
【図１７】同上衛生材料容器の他の例を示す正面図である。
【図１８】同上衛生材料容器のさらに他の例を示す正面図である。
【図１９】本発明の衛生材料容器の第１０の実施の形態を示す正面図である。
【図２０】同上衛生材料容器の他の例を示す正面図である。
【符号の説明】
１    容器本体
２    分離部
３    液体収容部
４    固体部
５    仕切部
６    液体流出部
７    材料収容部
11    連通部
12    液体移動部
13    区画部としてのシール部
14    空隙部
15    液体注入口
16    切込部
17    切取部
Ｄ    消毒剤
Ｓ    衛生材料としての綿棒
【図１】
0003966755.tif 000002
【図２】
0003966755.tif 000003
【図３】
0003966755.tif 000004
【図４】
0003966755.tif 000005
【図５】
0003966755.tif 000006
【図６】
0003966755.tif 000007
【図７】
0003966755.tif 000008
【図８】
0003966755.tif 000009
【図９】
0003966755.tif 000010
【図１０】
0003966755.tif 000011
【図１１】
0003966755.tif 000012
【図１２】
0003966755.tif 000013
【図１３】
0003966755.tif 000014
【図１４】
0003966755.tif 000015
【図１５】
0003966755.tif 000016
【図１６】
0003966755.tif 000017
【図１７】
0003966755.tif 000018
【図１８】
0003966755.tif 000019
【図１９】
0003966755.tif 000020
【図２０】
0003966755.tif 000021